(57)【要約】      （修正有）【課題】女性胸部における手術創の止血に際して、手術創部分のみを十分に圧迫しながら、快適に装着できる器具を提供する。【解決手段】女性用胸部止血具Ｘとして、女性の使用者の少なくとも一方の乳房を覆うパッド１０と、前記パッドに連結され使用者の胸部に、当該パッドとともに周回して固定し得るベルトである胸部固定ベルト２０と、前記パッドと前記胸部に固定された状態における前記胸部固定ベルトの背面側とに連結される使用者の肩に掛け得るベルトである肩掛けベルト３０と、パッド内に固定される内部の空気量を調整することができる風船体により構成されるエアバッグ４０とを有する。【選択図】図１
0003117699.tif 000002
【実用新案登録請求の範囲】
【請求項１】
女性の使用者の少なくとも一方の乳房を覆うパッドと、
前記パッドに連結され前記使用者の胸部に、当該パッドとともに周回して固定し得るベルトである胸部固定ベルトと、
前記パッドと前記胸部に固定された状態における前記胸部固定ベルトの背面側とに連結される使用者の肩に掛け得るベルトである肩掛けベルトと、
パッド内に固定される内部の空気量を調整することができる風船体により構成されるエアバッグと
を有する女性用胸部止血具。
【請求項２】
前記エアバッグは着脱可能に形成される請求項１に記載の女性用胸部止血具。
【請求項３】
前記エアバッグはパッド内における位置を変更することができる請求項１又は２に記載の女性用胸部止血具。
【請求項４】
前記エアバックは透明な素材で形成されるとともに、前記パッドの少なくとも前記エアバッグに当接する部分は、透ける生地により形成される請求項１から３のいずれか１項に記載の女性用胸部止血具。
【考案の詳細な説明】
【技術分野】
【０００１】
本考案は、乳癌の手術などによる女性の胸部における手術創からの出血を抑えるための器具に関する。
【背景技術】
【０００２】
従来、乳癌の手術を行った際にできる手術創からの止血は、布製の胸帯を手術創の上を通るように巻くことで圧迫するか、ガーゼを粘着テープにより手術創の上に重ねて固定する方法が採られていた。
【考案の開示】
【考案が解決しようとする課題】
【０００３】
しかし、胸帯を巻く場合は、十分に手術創を圧迫することが困難であるために、いきおい強く胸帯を巻く結果、胸部全体が強く締め付けられ、使用者が息苦しくなってしまうという問題がある。また、胸帯を利用する場合は、胸帯がずれる結果、圧迫する部位がずれてしまうという問題も生じる。一方、ガーゼを粘着テープで固定する場合は、このような問題は生じないが、粘着テープが直接肌に触れるために、肌がかぶれることがあり、また、十分に手術創を圧迫することができないという問題がある。
本考案は、かかる問題に鑑みて、女性胸部における手術創の止血に際して、手術創部分のみを十分に圧迫しながら、快適に装着できる器具を提供することを課題とする。
【課題を解決するための手段】
【０００４】
上記課題を解決するために、本考案は次のような構成を有する。
請求項１に記載の考案は、女性の使用者の少なくとも一方の乳房を覆うパッドと、前記パッドに連結され使用者の胸部に、当該パッドとともに周回して固定し得るベルトである胸部固定ベルトと、前記パッドと前記胸部に固定された状態における前記胸部固定ベルトの背面側とに連結される使用者の肩に掛け得るベルトである肩掛けベルトと、パッド内に固定される内部の空気量を調整することができる風船体により構成されるエアバッグとを有する女性用胸部止血具である。なお、エアバッグが固定される位置は想定される手術創の位置に応じて定められる。
請求項２に記載の考案は、前記女性用胸部止血具において、前記エアバッグは着脱可能に形成されるものである。
請求項３に記載の考案は、前記女性用胸部止血具において、前記エアバッグはパッド内における位置を変更することができるものである。
請求項４に記載の考案は、前記女性用胸部止血具において、前記エアバックは透明な素材で形成されるとともに、前記パッドの少なくとも前記エアバッグに当接する部分は、透ける生地により形成されるものである。なお、「透明」とは傷口からの出血の有無が確認できる程度のものであればよく、半透明が含まれる。また「透ける生地」とは透明な合成樹脂性のもののほか、メッシュ地のように多くの孔を形成することで透けるものが含まれる。
【考案の効果】
【０００５】
請求項１に記載の考案は、パッドに固定されるエアバッグに空気を適量入れることにより乳房の所定部位のみを圧迫することができる。また、粘着テープなどを使用しないので肌への負担が少なく快適に装着することができ、胸部固定ベルトと、肩掛けベルトによりエアバッグが固定されるパッドの位置はほとんどずれることが無い。
請求項２に記載の考案は、エアバッグを着脱可能に形成することにより、異なる大きさや形状のエアバッグに交換することができ、また、洗濯をする際にエアバッグを取り外すことでエアバッグが傷むことを防ぎ、また、エアバッグ以外の部分の洗濯の効果も高めることができる。
請求項３に記載の考案は、エアバッグの位置が調節できるので、使用者の乳房の大きさや位置、手術創の位置に応じて最も適切な位置にエアバッグを固定することができる。
請求項４に記載の考案は、エアバッグが透明であり、これに当接するパッドも透ける生地により形成されるので、圧迫部位からの止血の有無を確認することができる。
【考案を実施するための最良の形態】
【０００６】
以下、本考案の実施形態について、図を参照しながら説明する。
図１に本実施形態に係る女性用胸部止血具Ｘの斜視図を示し、図２に女性用胸部止血具Ｘの展開図を示す。女性用胸部止血具Ｘは、バッド１０、胸部固定ベルト２０、肩掛けベルト３０、エアバッグ４０から構成される。パッド１０は、ほぼ長方形状の厚手のメッシュ地の布により成り、一側縁側には、やはり厚手のメッシュ地の布により成る長尺の帯状の胸部固定ベルト２０が一体に形成されている。メッシュ地により形成することでパッド１０は透けるようになっている。パッド１０の表面には、上辺のやや側端部よりに肩掛けベルト３０を固定するために面ファスナーの係合部からなる肩掛けベルト係合部１１が設けられ、また、側端部やや下方よりに胸部固定ベルト２０を固定するための面ファスナーの係合部からなる胸部固定ベルト係合部１２が設けられている。また、パッド４０の裏面には、エアバッグ４０を固定するための面ファスナーの２枚の係合部からなるエアバッグ係合部１３が、中央やや胸部固定ベルト２０側に設けられている。胸部固定ベルト２０は胸部に沿うようにやや下方に向かって曲がっており、先端近傍の裏面に面ファスナーの被係合部からなる胸部固定ベルト被係合部２１が設けられている。肩掛けベルト３０は、やや厚手の布から成る長尺の帯状体であり、一端が胸部固定ベルトの使用者Ｐに装着した状態における背面側（展開図における胸部固定ベルト２０のややパッド１０より）に固定され、他端の裏面には、面ファスナーの被係合部からなる肩掛けベルト被係合部３１が固定されている。エアバッグ４０は、半透明なシリコーンゴムからなる丸みを帯びた長方形状の風船体であり、内部と連通する筒状の空気挿入孔４１が設けられている。空気挿入孔４１の先端にはバルブ４１ａが設けられており、エアバッグ４０内部を封止し、開放することができるようになっている。また、エアバッグ４０の表面には面ファスナーの被係合部からなるエアバッグ被係合部４２が設けられている。
【０００７】
次に、以上のような構成を有する女性用胸部止血具Ｘの使用方法について説明する。まず、エアバッグ４０内に適量の空気を入れ、バルブ４１ａを締めて空気を封入する。次に、エアバッグ４０のエアバッグ被係合部４２をパッド４０裏面のエアバッグ係合部４０の適当な位置に係合させることで、エアバッグ４０をパッド４０の裏面に固定する。そして、図１に示すように、使用者Ｐの一方の乳房の止血すべき位置にエアバッグ４０が位置するようにパッド１０を胸部に当てて、胸部固定ベルト２０を使用者Ｐの背中側から胸部を周回させて胸部固定ベルト２０先端の胸部固定ベルト被係合部２１をパッド１０表面の胸部固定ベルト係合部１２に係合させる。これにより、パッド１０と胸部固定ベルト２０とにより使用者Ｐの胸部を周回して固定されることとなる。この際、胸部固定ベルト係合部１２はやや大きく形成されているので、使用者の胸囲に合わせて係合位置を調整する。その後、肩掛けベルトを使用者Ｐの背中側から肩越しに前方へ回し、先端の肩掛けベルト被係合部３１をパッド１０の肩掛けベルト係合部１１に係合させる。この際、やはり、肩掛けベルト係合部１１はやや大きく形成されているので、肩掛けベルト３０が使用者Ｐの肩に適切に掛かるような位置に係合位置を調節する。これにより、女性用胸部止血具Ｘの装着が完了する。女性用止血具Ｘをこのように装着することにより、止血箇所のみに圧迫を加えることが可能であり、さらに、エアバッグ４０内の空気量を調節することで止血箇所への圧迫の強さも適宜調節することができる。また、胸部固定ベルト２０と肩掛けベルト３０とによりしっかりと固定されるので、エアバッグ４０の止血位置がずれることもほとんどなく、また、強く締め付ける必要もないので快適に装着することができる。さらに、面ファスナーによりエアバッグ４０がパッド１０に固定されているので、必要に応じてエアバッグ４０の位置を調整することでより確実な止血を実現することができ、また、洗濯時などにはエアバッグ４０を取り外すことができる。なお、上記に示す女性用胸部止血具Ｘは右胸用のものであるが左胸用のものは左右対称に形成すればよい。それから、パッド１０がメッシュ地で形成され、また、エアバッグ４０が半透明な素材で形成されることにより、傷からの出血状況を確認することができるので、必要に応じて止血位置を調整等を行うことができる。
【０００８】
また、パッド１０や肩掛けベルト２０、胸部固定ベルト３０等の形状や材質は上記実施形態に示すものに限られず種々の変形が可能である。図３に変形例として他の形態の女性用胸部止血具Ｙの背面図を示す。この女性用胸部止血具Ｙは、一般的なブラジャーの形態をしたものであり、パッド５０はカップにより形成され、胸部固定ベルト６０は袖部により形成され、肩掛けベルト７０はストラップにより形成されている。なお、胸部固定ベルト６０の先端にはホックの係合部６１と被係合部６２が固定されている。そして、パッド５０の裏面にエアバッグ８０を入れるポケット５１が設けられており、ポケット５１内にエアバッグ８０を挿入することでパッド５０にエアバッグ８０を固定するようになっている。ポケット５１は左右に設けられており、必要に応じてエアバッグ８０を固定する左右のパッド５０を選択できるようになっている。このような構成によっても、胸部の特定の止血箇所のみを圧迫することができるとともに、使用者に快適に装着させることができる。
さらに、上記実施形態では、肩掛けベルト２０は、パッド１０が覆う胸部とは反対側の肩に掛けるようにしているが、パッド１０が覆う胸部と同じ側の肩に掛けるようにしてもよい。
【図面の簡単な説明】
【０００９】
【図１】実施形態に係る女性用胸部止血具を示す斜視図である。
【図２】実施形態に係る女性用胸部止血具の展開図である。
【図３】女性用止血具の変形例を示す背面図である。
【符号の説明】
【００１０】
Ｘ、Ｙ  女性用胸部止血具
１０、５０  パッド
２０、６０  胸部固定ベルト
３０、７０  肩掛けベルト
４０、８０  エアバッグ
【図１】
0003117699.tif 000003
【図２】
0003117699.tif 000004
【図３】
0003117699.tif 000005